(57)【要約】      （修正有）【課題】排ガススクラバの汚れたスクラバ液を分離する遠心分離機を改善したシステムの提供。【解決手段】汚れたスクラバ液から少なくとも汚染物質相と浄化されたスクラバ液とを分離するディスクスタック遠心分離機１で、分離したディスク９の積み重ねで分離空間を取り囲むロータ３と、分離用空間の中に延びる汚れたスクラバ液用の分離機入口１１と、分離用空間から延びる浄化されたスクラバ液用の第１の分離機出口１２と、分離用空間から延びる汚染物質相用の第２の分離機出口１３とを備え、分離機入口１１へ汚れたスクラバ液を輸送するシステム、分離機出口１２から再び排ガススクラバへ浄化されたスクラバ液を輸送するシステム、浄化されたスクラバ液の一部を抜き取る輸送システムに接続されたブリードオフ輸送システム、抜き取られたスクラバ液を受け入れるブリードオフ輸送システムに接続された汚排水タンク及び制御ユニットとを備える浄化システム。【選択図】図１
2017006883.tif 000002
【特許請求の範囲】
【請求項１】
排ガススクラバからの汚れたスクラバ液を浄化するシステムであって、前記システムは、
前記汚れたスクラバ液から少なくとも汚染物質相と浄化されたスクラバ液とを分離するディスクスタック遠心分離機であって、分離しているディスクの積み重ねで分離空間を取り囲むロータと、前記分離用空間の中に延びる汚れたスクラバ液用の分離機入口と、前記分離用空間から延びる浄化されたスクラバ液用の第１の分離機出口と、前記分離用空間から延びる汚染物質相用の第２の分離機出口と、を備えるディスクスタック遠心分離機と、
前記分離機入口へ排ガススクラバからの汚れたスクラバ液を輸送するための第１の輸送システムと、
前記第１の分離機出口から再び前記排ガススクラバへ浄化されたスクラバ液を輸送するための第２の輸送システムと、
前記浄化されたスクラバ液の一部を抜き取るための前記第２の輸送システムに接続されたブリードオフ輸送システムと、
抜き取られたスクラバ液を受け入れるための前記ブリードオフ輸送システムに接続された汚排水タンクと、
前記汚排水タンクから前記第１の輸送システムへスクラバ液を輸送するための廃液低減輸送システムと、
前記ディスクスタック遠心分離機の作業負荷に関連した情報を受信すると共に、前記情報に基づいて前記廃液低減輸送システムにおけるスクラバ液の輸送を調整するように構成された制御ユニットと、
を備えるシステム。
【請求項２】
前記ブリードオフ輸送システムにおける前記スクラバ液の少なくとも１つの特性を測定するための前記ブリードオフ輸送システムに接続されたスクラバ液品質管理装備をさらに備える、請求項１に記載のシステム。
【請求項３】
船外に前記ブリードオフ輸送システムにおけるスクラバ液を輸送するための船外輸送システムをさらに備え、ここにおいて、前記制御ユニットは、前記スクラバ液品質管理装備から情報を受け取ると共に、前記スクラバ液品質管理装備からの前記情報に基づいて前記汚排水タンクと船外との間の浄化されたスクラバ液の輸送を調整するようにさらに構成されている、請求項２に記載のシステム。
【請求項４】
前記ディスクスタック遠心分離機の前記第２の分離機出口は、前記分離空間の周囲に配置されており、ここにおいて、前記システムは、前記第２の分離機出口に接続された排出廃液タンクをさらに備える、請求項１から３のいずれか一項に記載のシステム。
【請求項５】
前記排出廃液タンクは、前記汚排水タンクと同じである、請求項４に記載のシステム。
【請求項６】
前記排出廃液タンクから前記汚排水タンクへの液体輸送システムをさらに備える、請求項４に記載のシステム。
【請求項７】
前記第１の輸送システムにおける前記スクラバ液へＰｈ調整添加剤を添加するための前記第１の輸送システムに接続された化学薬品添加ユニットをさらに備える、請求項１から６のいずれかに記載のシステム。
【請求項８】
前記ブリードオフ輸送システムは、いかなるさらなる遠心分離機もない、請求項１から７のいずれかに記載のシステム。
【請求項９】
前記ディスクスタック遠心分離機の前記第２の分離機出口は、前記分離空間の周囲に配置されており、前記分離機は、いかなるさらなる汚染物質相用の出口もない、請求項１から８のいずれかに記載のシステム。
【請求項１０】
船内の排ガススクラバからの汚れたスクラバ液を浄化する方法であって、
−  前記排ガススクラバからディスクスタック遠心分離機の入口へ汚れたスクラバ液を輸送するステップと、
−  前記ディスクスタック遠心分離機の中で前記汚れたスクラバ液を分離し、第１の分離機出口から浄化されたスクラバ液を排出すると共に第２の分離機出口から汚染物質相を排出するステップと、
−  前記第１の分離機出口から再び前記排ガススクラバへ浄化されたスクラバ液を輸送するステップと、
−  ディスクスタック遠心分離機から汚排水タンクへ排出された前記浄化されたスクラバ液の一部を抜き取るステップと、
−  前記汚排水タンクから前記ディスクスタック遠心分離機の前記入口の上流の位置へスクラバ液を輸送し、前記ディスクスタック遠心分離機における前記スクラバ液を取り去ると共に同時に前記排ガススクラバから前記ディスクスタック遠心分離機の前記入口への汚れたスクラバ液の輸送を減少させるステップと、
を備える方法。
【請求項１１】
−  前記汚排水タンクに到達する前に抜き取られた前記浄化されたスクラバ液の品質に関連したパラメータを測定することと、
−  前記測定されたパラメータが特定の範囲内にある場合に、前記汚排水タンクの代わりに船外に抜き取り済の前記浄化されたスクラバ液を輸送することと、
をさらに備える、請求項１０に記載の方法。
【請求項１２】
前記ディスクスタック遠心分離機の前記第２の分離機出口は、前記分離空間の周囲に配置されており、前記方法は、前記第２の出口を通じて排出された前記汚染物質相を排出タンクへ輸送することをさらに備える、請求項８または９に記載の方法。
【請求項１３】
前記排出タンクから前記汚排水タンクへ液相を排水することをさらに備える、請求項１０に記載の方法。
【請求項１４】
前記排出タンクは前記汚排水タンクと同じであり、前記汚排水タンクからスクラバ液を輸送する前記ステップは、前記タンクの底から全タンク高の２０％より上にある位置から液相を回収し、前記ディスクスタック遠心分離機の前記入口の上流の位置へ前記相を輸送することを備える、請求項１０に記載の方法。
【請求項１５】
前記ディスクスタック遠心分離機に取り去られる前に、前記汚排水タンクから前記ディスクスタック遠心分離機の前記入口の上流の位置へ輸送された前記スクラバ液のｐＨを調節することをさらに備える、請求項１０から１４のいずれか一項に記載の方法。
【発明の詳細な説明】
【技術分野】
【０００１】
本発明は、排ガス浄化システムおよび方法の分野に関する。
【背景技術】
【０００２】
今日の海運業は、負の環境影響を最小にすると共に現在および今後の排気ガス規制を履行するために、エンジン内の燃料の燃焼から生じる排気ガスなどの有害な排気ガスを低減するよう努力している。
【０００３】
このことの一部は、船からの硫黄酸化物（ＳＯX）排気ガスの低減である。硫黄酸化物は、硫黄を含む残留物を含有する燃料の燃焼において生成される。排ガス中の硫黄酸化物の量は、排ガスの浄化により、例えばスクラバを使用することにより低減され得る。上述のスクラバを用いて排ガスを浄化するプロセスは、汚れたスクラバ液を生じさせる。
【０００４】
別の目的は、船舶用エンジンからの窒素酸化物（ＮＯX）排気ガスの低減である。これは、排ガス再循環（ＥＧＲ：Ｅｘｈａｕｓｔ  Ｇａｓ  Ｒｅｃｉｒｃｕｌａｔｉｏｎ）を実施することにより行われ得、排ガスの一部は、エンジンの燃焼室に再循環される。しかし、排ガス中の煤煙と粒子との量は、減少させられる必要がある。したがって、排ガスを浄化することが望ましく、これはスクラバを用いて行われ得る。また、このプロセスでは、汚れたスクラバ液が生産される。
【０００５】
そこで、課題の１つは、スクラバ液の浄化を改善することである。スクラバ液の浄化を改善するさらなる一態様は、汚染物質がスクラバ液から再び排ガスの中に持ち込まれ、そこでそれが冷却器などの下流の装備に問題を引き起こし得るリスクを最小にすることである。さらなる問題は、汚れたスクラバ液中の粒子が処理装備に付着する傾向があり、煤煙のスケールが蓄積し、処理装備、センサ、トランスミッタなどの動作不良となるリスクを伴って経時的に流れることである。スクラバ液を浄化するための装備は、フィルタ技術と遠心分離機とを含む。しかし、フィルタ技術に頼る装備は、フィルタ構成要素の監視、点検、および交換の必要があることにおいて欠点を有する。
【０００６】
さらに、ウェットスクラバを用いて熱い／暖かい排ガスをスクラブしている間、排ガス中の湿気が凝縮して水になり、スクラバプロセス中にスクラバ液の体積を増加させ得る。さらに、排ガスからの様々な塩が、スクラバのプロセス中にスクラバ液に溶解される傾向がある。塩析沈殿のリスクを減じるために、流体は希釈される必要が有得、それによりスクラバ液の体積が増加する。
【０００７】
したがって、流体は、排ガスから、および／またはシステムへの意図的な流体の追加により、スクラバ流体ループへ加えられ得る。システム中のスクラバ液の体積を維持するために、スクラバ液は、スクラバプロセスから抜き取られなければならない。しかし、スクラバ液は、船外へ排出されるために、ある一定の基準、例えばＩＭＯ  ＭＥＰＣ  １８４（５９）の基準を満たさなければならない場合がある。
【発明の概要】
【０００８】
本開示は、排ガススクラバからの汚れたスクラバ液を浄化するシステムであって、
汚れたスクラバ液から少なくとも汚染物質相と浄化されたスクラバ液とを分離するディスクスタック遠心分離機であって、分離しているディスクの積み重ねで分離空間を取り囲むロータと、分離用空間の中に延びる汚れたスクラバ液用の分離機入口と、分離用空間から延びる浄化されたスクラバ液用の第１の分離機出口と、分離用空間から延びる汚染物質相用の第２の分離機出口とを備えるディスクスタック遠心分離機と、
分離機入口へ排ガススクラバからの汚れたスクラバ液を輸送するための第１の輸送システムと、
第１の分離機出口から再び排ガススクラバへ浄化されたスクラバ液を輸送するための第２の輸送システムと、
浄化されたスクラバ液の一部を抜き取るための第２の輸送システムに接続されたブリードオフ輸送システムと、
抜き取られたスクラバ液を受け入れるためのブリードオフ輸送システムに接続された汚排水タンクと、
汚排水タンクから第１の輸送システムへスクラバ液を輸送するための廃液低減輸送システムと、
ディスクスタック遠心分離機の作業負荷に関連した情報を受信すると共に、情報に基づいて廃液低減輸送システムにおけるスクラバ液の輸送を調整するように構成された制御ユニットと
を備えるシステムを提供する。
【０００９】
スクラバ液は、水などの液体とすることができるが、他の適切な液体とすることもできる。排ガスを浄化するプロセスに最初に含まれていたスクラバ液、または動作中のプロセスに加えられるスクラバ液は、水道水、真水、または塩分を除いた海水とすることができる。
【００１０】
スクラバ液は、海水より少ない、または海水よりずっと少ない塩化物の量を有する水であり得る。水道水は、タンクから供給されてもよく、または海水の真水化により船上で生産されてもよい。しかし、スクラバ液は、スクラバプロセスから含まれる塩を含有し得る。この用語スクラバ液は、浄化されたまたは汚れたスクラバ液を指しており、スクラバ液は、プロセスに最初に含まれており、またはプロセスに加えられ、あるいはそれらの組合せである。スクラバ液中の汚染物質は、硫黄酸化物残留物などの有機または無機の燃焼残留物、煤煙、一部酸化したおよび酸化していない船舶用燃料油、および酸化金属からの塩を備える固形粒子および／または液体粒子を備え得る。エンジンの燃焼中に生成された粒子は、通常とても小さく、μｍスケール未満であり、典型的に約１０から約３０ｎｍの範囲内である。水などの適切な流体では、それらは、約５から約１００μｍの範囲内、特に約１０から約３０μｍの範囲内などのμｍスケール内のクラスタに塊をなす。
【００１１】
このように、汚れたスクラバ液は、油および汚染物質有機粒子などの汚染物質粒子で汚染されている水であり得る。そして、浄化されたスクラバ液は、より少ない量の油および汚染物質有機粒子などの汚染物質粒子を有する水であり得る。
【００１２】
浄化されたスクラバ液は、量が減らされた汚染物質を有するが、少量の汚染物質をなお備え得、汚れたスクラバ液から分離された汚染物質相は、ある所定量のスクラバ液をなお備え得る。汚染物質相は、浄化されたスクラバ液より濃いものであり得、すなわちより高い密度を有し得る。
【００１３】
汚れたスクラバ液体などの汚れたスクラバ液は、排ガススクラバ流体ループからであり得る。排ガススクラバ流体ループは、閉じたスクラバ流体ループ、すなわち、スクラバとシステム内の他の構成要素を通じたスクラバ液の再循環を提供する循環システムであり得る。スクラバ流体ループは、例えばＥＧＲ中にエンジンからの排ガスの流れの一部を浄化するために使用されるエンジンおよび／またはスクラバからの排ガスの全流れを浄化するために使用されるスクラバを含み得る。
【００１４】
ディスクスタック遠心分離機は、分離しているディスクの積み重ねまたは分離しているプレートのセットで分離空間を取り囲んで（すなわち、それ自体の内部に形成する）回転軸を中心として回転可能に配置されたロータを備える。分離しているディスクまたはプレートは、切頭円錐形とすることができ、または任意の他の適切な形状を有することができる。分離機は、分離用空間の中に延びる汚れたスクラバ液用の分離機入口と、分離用空間から延びる浄化されたスクラバ液用の第１の分離機出口と、分離用空間から延びる汚染物質相用の第２の分離機出口とをさらに備える。好ましくは、第１の分離機出口は、回転軸に対して分離用空間の半径方向内側部分から延び、好ましくは、第２の分離機出口は、分離用空間の半径方向外側部分から延びる。分離機は、油などのスクラバ液より濃いまたはより薄い別の流体相用の第３の分離機出口をさらに備えることができる。分離機は、いずれの第３の出口もないものでさらにあり得、すなわち、単一の浄化されたスクラバ液用の第１の出口と、単一の汚染物質相用の単一の第２の出口とを備える。
【００１５】
さらに、ディスクスタック遠心分離機は、第２の分離機出口が分離用空間またはノズル分離機から汚れた相を断続的に排出するために動作中に開かれ得る１つまたは複数の排出口を備えている断続的排出用の分離機とすることができ、ここにおいて、第２の分離機出口は、分離用空間から汚れた相を連続的に排出するための１つまたは複数の排出ノズルを備える。好ましくは、排出口または排出ノズルは、浄化されたスクラバ液よりも高い密度を有する分離相、すなわち、汚染物質相を排出するために、分離用空間の外半径からロータの外側まで延び得る。
【００１６】
ディスクスタック遠心分離機は、コンベヤスクリュをさらに備えることができる。例えば、分離機のロータは、第２の分離機出口に向かって汚染物質相、すなわち、浄化されたスクラバ液よりも高い密度を有する分離相を運ぶように、ロータの回転速度とは異なる回転速度で駆動されるように構成されているコンベヤスクリュを取り囲むことができる。次いで、第２の分離機出口は、分離用空間の外半径より小さい半径で用意され得、コンベヤスクリュは、半径方向内側におよび第２の分離機出口に向かって汚染物質相を運ぶように配置される。コンベヤスクリュは、少なくとも分離機の排出動作中にロータの回転速度とは異なる回転速度で駆動されるように構成され得る。
【００１７】
分離機から排出される汚染物質相は、（約４５〜９５体積パーセントに対応する）２０〜６５重量パーセントの粒子密度を有することができる。
【００１８】
第１の輸送システムは、ディスクスタック遠心分離機へ汚れたスクラバ液を輸送するためのものであり、したがってパイプとポンプとなどを備えることができる。
【００１９】
第２の輸送システムは、スクラバへ浄化されたスクラバ液を戻すように輸送するためのものであり、したがってパイプとポンプとなどをやはり備えることができる。しかし、第１の輸送システムと第２の輸送システムとは、共通のバッファタンクを共有することができる。バッファタンクは、排ガススクラバの一部とすることができる。したがって、第１の輸送システムと第２の輸送システムとは、排ガススクラバのバッファタンクからディスクスタック遠心分離機へ汚れたスクラバ液を輸送するように構成され得ると共に、バッファタンクを介してスクラバへ戻すように浄化されたスクラバ液を輸送するように構成され得る。これは、浄化される汚れたスクラバ液の全部がスクラバからバッファタンクへ導かれ、浄化されたスクラバ液の全部が分離機から同じバッファタンクへ導かれることを意味する。言い換えると、システムは、分離浄化ループと分離スクラバループの両方が接続されているタンクを含むことができる。言い換えると、ディスクスタック遠心分離機は、スクラバと直接液体接触していなくてもよいが、その代わりにバッファタンクを介して通じている。
【００２０】
ブリードオフ輸送システムは、システムからスクラバ液を抜き取るために、三方弁などの弁を介して第２の輸送システムに接続され得る。水が燃焼時に形成されるので、スクラバシステムにおける合計の水の量は、時間が経つと増加し得る。ブリードオフ輸送システムの場合、スクラバ液は、例えば汚排水タンクへ導かれ得る。汚排水タンクは、例えば、船の船外へ輸送される要件を満たさない抜き取られたスクラバ液を貯蔵するためのタンクであり得る。汚排水タンクは、船がいずれの水も船外へ排出することが許可されないときに、任意の品質基準を満たすことができるまたは満たすことができない浄化されたスクラバ水のためのバックアップ貯蔵タンクとして機能するタンクでもあり得る。
【００２１】
廃液低減輸送システムは、パイプとポンプとなどを備えることもでき、プロセス能力が利用できるときに、例えば一定の品質要求事項を満たさないスクラバ液が取り去れ得るように、汚排水タンクからディスクスタック遠心分離機の上流の位置へ戻るようにスクラバ液を輸送するためのものである。これは、例えば、スクラバが利用されないときおよび／または汚れたスクラバ液が第１の輸送システムにおいてディスクスタック遠心分離機へ導かれないときであり得る。廃液低減輸送システムは、第１の輸送システムにおける供給ポンプが廃液低減輸送システムにおけるスクラバ液を輸送するためにやはり使用され得るように、第１の輸送システムにおける供給ポンプの上流で第１の輸送システムに接続され得る。したがって、廃液低減輸送システムは、ポンプ手段がなくてもよい。
【００２２】
汚排水タンクから第１の輸送システムへのスクラバ液の輸送は、制御ユニットにより調整される。制御ユニットは、分離機の動作状況に関する情報を受け取るために、ディスクスタック遠心分離機と通信するためのプロセッサと入出力インターフェースとを備えることができる。
【００２３】
遠心分離機の作業負荷に関連した情報は、分離機が実行中かどうかという直接の情報などの分離機自体からの情報であり得る、またはそれは、分離機の作業負荷に間接的に関連している情報であり得る。例えば、そのような間接的な情報は、スクラバが実行中かどうかについての情報、またはシステムが実装されている船のエンジン負荷についての情報であり得る。利用できる能力がある場合、制御ユニットは、汚排水タンクから廃液低減輸送システムを介して第１の輸送システムへスクラバ液の輸送を開始することができる。廃液低減輸送システムは、三方弁などの弁により第１の輸送へ接続され得る。したがって、このプロセッサは、制御ユニットからのデータにアクセスし、制御信号を生成し廃液低減輸送システムにおけるそのような弁および／またはポンプへ制御信号を送信するようになされ得る。
【００２４】
本開示のシステムは、それが最終的に全ての船外排出基準を満たすことができる、すなわちそれが陸上に廃棄されなければならない船内のスクラバ液の総量を減少させるのを助けるように、それが汚排水タンク中の浄化されたスクラバ液を取り去ることを可能にするという点で有利である。
【００２５】
システムは、汚れたスクラバ液を処理することと、汚排水タンクから流体を取り去ることとの両方を行うことができる単一の遠心分離機を備えることができる。したがって、システムは、さらなるフィルタまたは遠心分離機がないものとするように、さらなる分離手段がないものとすることができる。
【００２６】
各実施形態によれば、システムは、ブリードオフ輸送システムにおけるスクラバ液の少なくとも１つの特性を測定するためのブリードオフ輸送システムに接続されたスクラバ液品質管理装備をさらに備える。
【００２７】
スクラバ液品質管理装備は、ｐＨ、ＰＡＨ（多環芳香族炭化水素）、および濁り度といったパラメータの１つまたはいくつかを測定するように構成することができる。
【００２８】
さらに、システムは、船外にブリードオフ輸送システムにおけるスクラバ液を輸送するための船外輸送システムを備えることができ、制御ユニットは、スクラバ液品質管理装備から情報を受け取ると共に、スクラバ液品質管理装備からの情報に基づいて汚排水タンクと船外との間の浄化されたスクラバ液の輸送を調整するようにさらに構成され得る。
【００２９】
したがって、船外輸送システムは、三方弁などの弁を介してブリードオフ輸送システムに接続され得、制御ユニット中のプロセッサは、流体品質管理装備からのデータにアクセスし、浄化されたスクラバ液が汚排水タンクへ導かれる代わりに船外へ導かれるようにそのようなブリードオフ輸送システムにおける弁および／またはポンプへの制御信号を生成および送信するように適合され得る。したがって、能力があるとき、制御ユニットは、船外へ排出されるための品質基準を満たさない浄化されたスクラバ液などの汚排水タンク中のスクラバ液が、品質基準が満たされるまで１回または数回ディスクスタック遠心分離機に取り去れるものとすることができる。次いで、スクラバ液は、船外へ排出され得、陸上に廃棄するために他の方法で送られる廃液の量が減少させられる。
【００３０】
各実施形態によれば、ディスクスタック遠心分離機の第２の分離機出口は、分離空間の周囲に配置されており、ここにおいて、システムは、第２の分離機出口に接続された排出廃液タンクをさらに備える。
【００３１】
したがって、排出タンクは、例えば、第２の分離機出口へ配管により接続され得る。よって、第２の分離機出口は、排出口の形態であり得、または排出ノズルは、浄化されたスクラバ液よりも高い密度を有する汚染物質相を排出するために分離用空間の外半径からロータの外側まで延びる。
【００３２】
一例として、排出廃液タンクは、汚排水タンクと同じであり得る。したがって、利用できるたった１つの共通の廃液タンクが存在することができ、すなわち、組み合わされた汚排水タンクと排出タンクが存在することができる。次いで、廃液低減輸送システムは、組み合わされたタンク内に形成された固体が廃液低減輸送システムを介して戻るように輸送されることを防ぐように、タンクの底から上で安全な距離に接続され得る。一例として、廃液低減輸送システムは、液相がタンクの底から全タンク高の２０％より上にある位置から回収されるように、組み合わされたタンクに接続され得る。
【００３３】
排出廃液タンクと汚排水タンクとが異なるタンクである場合、システムは、排出廃液タンクから汚排水タンクへの液体輸送システムを備えることができる。これは、例えば第２の出口を介して排出される汚染物質相が水などのスクラバ液をなお備える場合に有利であり得る。したがって、排出廃液タンクは、すなわち、廃棄のために総廃液をいっそうさらに減少させるように、底の相を発って、汚排水タンクへ「排水」され得る。
【００３４】
各実施形態によれば、システムは、第１の輸送システムにおけるスクラバ液へＰｈ調整添加剤を添加するための第１の輸送システムに接続された化学薬品添加ユニットをさらに備える。化学薬品添加ユニットは、ディスクスタック遠心分離機において浄化されようとしている第１の輸送システム中のスクラバ液の酸性度を制御および／または調整するように構成され得る。化学薬品添加ユニットは、６．５より上のｐＨを維持するように構成され得、かつ、８未満のｐＨを維持するようにさらに構成され得る。したがって、化学薬品添加ユニットは、６．５〜８の範囲内のｐＨを維持するように構成され得る。一態様では、これは、スクラバ液のｐＨの減少を引き起こし得る排ガス中のＳＯXなどの酸性成分を補償するために行われ得る。酸性度は、ＮａＯＨ（水酸化ナトリウム）、ＣａＯ（酸化カルシウム）、またはＣａ（ＯＨ）2（水酸化カルシウム）などのｐＨ調整化合物を加えることにより、上記ｐＨを測定および調整することにより制御および／または調整され得る。第１の輸送システム中のスクラバ液の酸性度は、ある所定量の溶解した塩の沈殿を助けると共にしたがってディスクスタック分離機における良好な分離プロセスを維持するために、制御および／または調整され得る。
【００３５】
各実施形態において、ブリードオフ輸送システムは、いかなるさらなる遠心分離機もない。
【００３６】
さらに、ブリードオフ輸送システムは、フィルタなどのいかなるさらなる分離手段もないものであり得る。したがって、このシステムが、品質基準を満たさないスクラバ液が汚排水タンクから再び第１の輸送システムへ輸送されることを可能にするので、このシステムは単一の分離機だけを必要とし得る。したがって、抜き取りにおいてスクラバ液を処理するためのさらなる分離機が必要とされ得ない。
【００３７】
各実施形態によれば、システムは、第１の輸送システムへ凝固剤および／または凝集剤を追加するためのユニットをさらに備える。凝固剤または凝集剤は、汚れたスクラバ液中での粒子の凝塊の形成を容易にし、高分子電解質とすることができる。
【００３８】
さらに、上記浄化装備は、すなわち分離機入口の上流で第１の輸送システムへ沈殿剤を加えるための手段を備え得る。好ましくは、沈殿剤は、スクラバ液へ三価鉄または三価アルミニウムなどの三価イオンを加え、硫酸アルミニウム、（ポリ）塩化アルミニウム、および／または塩化鉄を備え得る。それにより、溶解された塩は、汚れたスクラバ液から沈殿され得、ディスクスタック遠心分離機の分離効率をさらに向上させる。
【００３９】
各実施形態によれば、ディスクスタック遠心分離機の第２の分離機出口は、分離空間の周囲に配置されており、分離機は、いかなるさらなる汚染物質相用の出口もない。
【００４０】
したがって、遠心分離機は、浄化されたスクラバ液用の単一の出口と、単一の汚染物質相用の第２のタイプの単一型の出口とを有するクラリファイア型であり得る。したがって、油などのスクラバ液中のより軽い液体有機残留物は、ディスクスタック分離機において、スクラバ液より濃い汚染物質相として油と固形粒子とを分離することを可能にするやり方で流体中のより濃い固形粒子に付着し得る。クラリファイア型の分離機は、例えば浄化スクラバ液と沈殿物相および分離油相などの２つの汚染物質相とに汚れたスクラバ液を分離するように構成されている三相分離機に比べてより大きいスループット能力を有し得るので、そのようなクラリファイア型の分離機を使用することは有利であり得る。
【００４１】
本開示のシステムは、排ガス用の入口を有するガススクラバと、排ガスへスクラバ液を与えるための加湿装置と、排ガスから汚れたスクラバ液を取り除くための液滴分離機と、好ましくは本開示のシステムに接続されたスクラバへスクラバ液を循環させるための閉じたスクラバ流体ループとを備えた船上の大型エンジンなどのディーゼルエンジンと共に役立ち得る。本開示のシステムは、排ガスなどのガスを浄化する同様の陸上用のスクラバ設備に適用することもできる。
【００４２】
本開示は、船内の排ガススクラバからの汚れたスクラバ液を浄化する方法であって、
−  排ガススクラバからディスクスタック遠心分離機の入口へ汚れたスクラバ液を輸送するステップと、
−  ディスクスタック遠心分離機の中で汚れたスクラバ液を分離し、第１の分離機出口から浄化されたスクラバ液を排出すると共に第２の分離機出口から汚染物質相を排出するステップと、
−  第１の分離機出口から再び排ガススクラバへ浄化されたスクラバ液を輸送するステップと、
−  ディスクスタック遠心分離機から汚排水タンクへ排出された浄化されたスクラバ液の一部を抜き取るステップと、
−  汚排水タンクからディスクスタック遠心分離機の入口の上流の位置へスクラバ液を輸送し、ディスクスタック遠心分離機におけるスクラバ液を取り去ると共に同時に排ガススクラバからディスクスタック遠心分離機の入口への汚れたスクラバ液の輸送を減少させるステップと、を備える方法も提供する。
【００４３】
上記方法と組み合わせて使用される上記の用語および定義は、上記システムについて述べられたようなものである。
【００４４】
抜き取るという用語は、浄化されたスクラバ液のより少ない一部を輸送する、すなわちスクラバ流体ループへ戻る浄化されたスクラバ液の主輸送から浄化されたスクラバ液を取り除くことを指す。したがって、この方法は、特定の期間中に抜き取られる体積または量に比べて、より大きい体積のまたはより大量の浄化されたスクラバ液をスクラバ流体ループへ戻るように輸送することを備え得る。代替として、上記抜き取りは、第１の期間中に第１の分離機出口から再び排ガススクラバ流体ループへ浄化されたスクラバ液を輸送することと、次いで第１の期間より短い第２の期間中にディスクスタック遠心分離機から汚排水タンクへ放出された浄化されたスクラバ液を輸送することに切り替えることとを備えることができる。排ガススクラバからディスクスタック遠心分離機の入口への汚れたスクラバ液の輸送を減少させることは、スクラバ液が汚排水タンクからディスクスタック遠心分離機の入口の上流の位置へ輸送されるときに、排ガススクラバからディスクスタック遠心分離機の入口への汚れたスクラバ液の輸送を止めることであり得る。
【００４５】
各実施形態において、上記方法は、
−  汚排水タンクに到達する前に抜き取られた浄化されたスクラバ液の品質に関連したパラメータを測定することと、
−  測定されたパラメータが特定の範囲内にある場合に、汚排水タンクの代わりに船外に抜き取り済の浄化されたスクラバ液を輸送すること、とを備える。
【００４６】
上述のように、浄化されたスクラバ液は、一定の品質基準が満たされる場合には、船外へ放出することができる。パラメータは、パラメータｐＨ、ＰＡＨ（多環芳香族炭化水素）、濁り度の１つまたはいくつかであり得、この方法は、これらのパラメータの１つまたはいくつかが、例えば、予め定められた閾値より上または下などの予め定められた範囲内である場合に、浄化されたスクラバ液を船外へ輸送することを備え得る。
【００４７】
各実施形態において、ディスクスタック遠心分離機の第２の分離機出口は、分離空間の周囲に配置されており、方法は、第２の出口を通じて排出された汚染物質相を排出タンクへ輸送することをさらに備える。
【００４８】
さらに、この方法は、そのような排出タンクから汚排水タンクへ液相を排水することをさらに備え得る。したがって、汚染物質相に排出される何らかの液体は、それがディスクスタック遠心分離機により取り去れ得るように汚排水タンクへ送られ得る。
【００４９】
一例として、排出タンクは、汚排水タンクと同じであり得、汚排水タンクからスクラバ液を輸送するステップは、タンクの底から全タンク高の２０％より上にある位置から液相を回収し、ディスクスタック遠心分離機の入口の上流の位置へこの相を輸送することを備える。
【００５０】
したがって、共通の排出および汚排水タンクが存在する場合には、分離機の上流に戻るように任意の汚染物質固形相を輸送するリスクを減少させることが有利であり得る。
【００５１】
この方法は、ディスクスタック遠心分離機に取り去られる前に、汚排水タンクからディスクスタック遠心分離機の入口の上流の位置へ輸送されたスクラバ液のｐＨを調節することをさらに備えることができる。
【００５２】
さらに、この方法は、浄化されたスクラバ液から抜き取られた後、かつ、船外へ排出される前またはディスクスタック遠心分離機における何らかのさらなる取り去りを受ける前に、浄化されたスクラバ液をさらなる浄化プロセスにかけないことをさらに備え得る。
【００５３】
この方法は、ディスクスタック遠心分離機の第２の分離機出口から油と粒子とを備える単一の汚染物質相を排出することと、ここにおいて、第２の分離機出口は、分離空間の周囲に配置されている、第１の分離機出口から浄化されたスクラバ液を排出することとをさらに備えることができる。上述のように、油粒子などのスクラバ液中のより軽い液体有機残留物が、スクラバ液中のより濃い固形粒子に付着する場合、分離機からの単一の汚染物質相のように油と固形粒子とを分離することも可能であり得る。
【００５４】
この方法は、ディスクスタック遠心分離機の中で汚れたスクラバ液を分離する前に、汚れたスクラバ液へ高分子電解質などの凝固剤または凝集剤を加えることをさらに備え得る。これは、汚れたスクラバ液から汚染物質相を分離するのを助けることができる。
【図面の簡単な説明】
【００５５】
【図１】本開示のシステムに使用され得るディスクスタック遠心分離機の概略図。
【図２】本開示のシステムの一実施形態の概略図。
【図３】スクラバに接続された本開示のシステムの一実施形態の概略図。
【図４】スクラバに接続された本開示のシステムの別の実施形態の概略図。
【図５】スクラバに接続された本開示のシステムのさらなる実施形態の概略図。
【発明を実施するための形態】
【００５６】
本開示によるシステムおよび方法は、添付図面を参照して以下の説明によりさらに例示される。
【００５７】
図１は、本システムに使用され得るディスクスタック遠心分離機の概略図を示す。
【００５８】
遠心分離機１は、回転軸（Ｘ）を中心にして回転するように構成された回転部２を備えると共に、ロータ３とスピンドル４とを備える。スピンドル４は、底部軸受６と上部軸受７とにおいて遠心分離機のフレーム５に支持される。
【００５９】
ロータ３は、例えば汚れたスクラバ水の遠心分離が動作中に行われる分離チャンバ８をそれ自体内に形成する。
【００６０】
分離チャンバ８は、液体の効率的な分離を実現するために切頭円錐形の別個のディスク９の積み重ねで与えられる。切頭円錐形の別個のディスク９の積み重ねは、表面拡大挿入物の例である。これらのディスク９は、ロータが中心に同軸で取り付けられ、別個のディスク９が遠心分離機１に嵌められるときに液体の軸流用のチャネル１０を形成する穴を備える。
【００６１】
分離される液体混合物は、ロータ３の中に下って延びる固定された入口パイプ１１を介して上部から供給される。
【００６２】
ロータ３は、そこから延びる、分離機の上部でフレーム５を通じて延びる液体から分離された低密度成分のための液体軽量相出口１２を有する。この例では、分離機は、たった１つの液体出口１３を有するが、分離機は、出口１２を介して回収された液体の密度以外の他の密度の液相用のさらなる液体出口を備えることもできる。これは、処理される液体材料次第である。そのような場合には、代わりにより大きい密度の任意の液体が、出口１３の半径レベルより大きい半径距離にあるさらなる液体出口（図示せず）を通じて押し出され得る。一例として、さらなる液体出口は、油が別個の液相として汚れたスクラバ液から分離される場合に利用され得る。
【００６３】
ロータ３は、液体中の沈殿物または他の固体などのより高密度の成分を排出するために、断続的に開放可能な出口の形態で１セットの半径方向沈殿物出口１３をその外側周囲に備える。したがって、この材料は、分離チャンバ８の半径方向外側部分からロータ３の周りの空間に排出される。
【００６４】
遠心分離機１は、駆動モータ１４をさらに備える。このモータ１４は、例えば、固定要素と回転可能要素とを備えることができ、この回転可能要素は、スピンドル４を囲むと共にそれにそのように接続されており、これが動作中にそれが駆動トルクをスピンドル４へおよびしたがってロータ３へ伝達する。駆動モータ１４は、電気モータとすることができる。さらに、駆動モータ１４は、駆動ベルト等などの伝達手段によりスピンドル４へ接続され得、代替として、駆動モータは、スピンドルに直接接続されてもよい。
【００６５】
図１の分離機の動作中、ロータ３は、駆動モータ１４からスピンドル４へ伝達されたトルクにより回転させられる。スピンドル４の中心ダクト１１を介して、分離される汚れたスクラバ液体は、例えばロータがその動作速度ですでに実行しているときに、分離空間８の中に運ばれる。したがって、液体材料は、ロータ３に連続的に導入され得る。
【００６６】
密度に応じて、液体中の異なる相が分離空間８に嵌められた別個のディスク９同士の間で分離される。液体中のより重い成分、すなわち、粒子に塊をなした粒子および油を備えた汚染物質相は、別個のディスクの間で半径方向外側に移動する一方、浄化されたスクラバ水などの最低密度の相は、別個のディスクの間で半径方向内側に移動し、出口１２を通じて押し出される。したがって、分離中、間の相間は、分離空間８に形成される。粒子と油とを備える汚染物質相は、分離チャンバ８の周囲に蓄積し、沈殿物出口１３が開くことにより分離空間から断続的に空にされ、そうすると汚染物質相とある所定量の液体とは、遠心力により分離空間から放出される。しかし、汚染物質相の放出は、沈殿物出口１３が開放ノズルの形態をとり、汚染物質相のある一定の流れが遠心力により連続的に排出される場合に、連続的にやはりまた行われ得る。
【００６７】
図２は、排ガススクラバ水を処理するための本開示のシステム１５の概略図を示す。このシステムは、第１の輸送システム１６を備え、ディスクスタック遠心分離機１へ汚れたスクラバ液体を輸送するためのパイプと供給ポンプ２５とをさらに備える。ディスクスタック遠心分離機はクラリファイア型であり、ディスクスタック遠心分離機が分離用空間の周囲からパイプ２２を介して排出タンク２３へ汚染物質相を排出することを意味する。この場合には、油と粒子とは、同じ単一の汚染物質相で排出される一方、浄化されたスクラバ水は、分離機１の上部で液体出口を介して排出され、第２の輸送システム１７を介して再びスクラバへ輸送される。第２の輸送システム１７は、浄化されたスクラバ水のより小さい部分がブリードオフ輸送システムを介して汚排水タンク１９へ抜き取られ得るように、パイプと三方弁２６とを備えている。したがって、弁２６は、ブリードオフ輸送システム１８を介して浄化されたスクラバ水を向けるよりも長い期間の間、輸送システム１７を介して浄化されたスクラバ水をそれが向けるように変えられ得る。このシステムは、矢印Ｂにより示されるように、分離機１の作業負荷に関連した情報を受け取る制御ユニットをさらに備える。遠心分離機１が能力を有するとき、例えばスクラバが利用されないとき、制御ユニット２１は、遠心分離機１の上流にある位置へ戻るように、この場合は第１の輸送システム１６へ、パイプを備える廃液低減輸送システム２０を介して汚排水タンク１９中のスクラバ水の輸送を開始する。これは、矢印Ａにより示されるように、第１の輸送システムにおける三方弁２４を制御することにより実現される。三方弁２４は、分離機中のスクラバ水を取り去るために、供給ポンプ２５が汚排水タンクから分離機１へスクラバ水を輸送するように利用され得るように、ポンプ２５の上流に配置されている。代替として、廃液低減輸送システム２０は、それ自体のポンプ（図示せず）を備えてもよい。さらに、制御ユニットは、すなわち、第２の輸送システム１７中の浄化されたスクラバ水を抜き取るときを調整するために、第２の輸送システム１７中の三方弁２６を調整することもできる。
【００６８】
図３は、スクラバ流体ループ３０に接続された汚れたスクラバ液を浄化するためのシステム１５のさらなる実施形態を示す。
【００６９】
排ガススクラバ２７は、船の主エンジンまたは補助エンジンなどの大型ディーゼルエンジンの排気導管に作用する。スクラバは、スクラバ液用のスクラバ入口３７とスクラバ出口３６とを備える。スクラバ出口３６は、スクラバ水用のバッファタンク２８の入口に接続されている。バッファタンク２８は、スクラバ供給ポンプ２９を介してスクラバの入口３７へスクラバ水を供給するための出口をさらに備える。スクラバ２７と、バッファタンク２８と、それらを接続する配管は、スクラバ水が動作中に循環されている閉じたスクラバ流体ループ３０を形成する。スクラバ流体ループ３０は、水道水、真水、または塩分を除いた海水などの浄化スクラバ液を動作中のプロセス（図示せず）に加えるための手段をさらに備えることができる。これは、スクラバ流体ループ３０の任意の部分で行われ得る。スクラバ水は、スクラバ流体ループ３０中のバッファタンク２８から第１の輸送システム１６を介してディスクスタック遠心分離機１へ輸送される。これは、第１の輸送システム１６に配置された供給ポンプ２５により実現される。図１のシステムにおけるように、ディスクスタック遠心分離機はクラリファイア型であり、ディスクスタック遠心分離機が分離用空間の周囲からパイプ２２を介して排出タンク２３へ汚染物質相を排出することを意味する。この場合には、油と粒子とは、同じ単一の汚染物質相で排出される一方、浄化されたスクラバ水は、分離機１の上部で液体出口を介して排出され、第２の輸送システム１７を介して再びスクラバへ輸送される。第２の輸送システム１７は、浄化されたスクラバ水のより小さい部分がブリードオフ輸送システム１８を介して汚排水タンク１９へ抜き取られ得るように、パイプと三方弁２６とを備えている。したがって、弁２６は、ブリードオフ輸送システム１８を介して浄化されたスクラバ水を向けるよりも長い期間の間、輸送システム１７を介して浄化されたスクラバ水をそれが向けるように変えられ得る。ブリードオフ輸送システム中の浄化されたスクラバ水の品質は、ブリードオフ輸送システム１８に接続されている品質管理装備３２を介して制御される。品質管理装備３２は、ｐＨ、ＰＡＨ、および濁り度などの抜き取られた浄化されたスクラバ水の少なくとも１つの特性を測定し、抜き取れた浄化されたスクラバ水は、ブリードオフ輸送システム１８中の品質管理装備３２の下流に位置する三方弁３３に接続されている船外輸送システム３４により船外へ排出され得る。
【００７０】
制御ユニット２１は、一定の品質基準が満たされる場合に抜き取られたスクラバ水を船外に向けるために、または基準が満たされていない場合に抜き取られたスクラバ水を汚排水タンク１９へ向けるために、矢印Ｃにより示されるように、抜き取られた浄化されたスクラバ水の品質について品質管理装備３２から情報を受け取り、したがって矢印Ｄに示された三方弁３３を調整することができる。さらに、制御ユニットは、すなわち、第２の輸送システム１７中の浄化されたスクラバ水を抜き取るときを調整するために、第２の輸送システム１７中の三方弁２６を調整することもできる。制御ユニットは、矢印Ｂにより示されるように、分離機１の作業負荷に関連した情報をさらに受け取る。遠心分離機１が能力を有するとき、例えばスクラバが利用されないとき、制御ユニット２１は、遠心分離機１の上流にある位置へ戻るように、この場合は第１の輸送システム１６へ、パイプを備える廃液低減輸送システム２０を介して汚排水タンク１９中のスクラバ水の輸送を開始する。これは、矢印Ａにより示されるように、第１の輸送システムにおける三方弁２４を制御することにより実現される。三方弁２４は、分離機中のスクラバ水を取り去るために、供給ポンプ２５が汚排水タンクから分離機１へスクラバ水を輸送するように利用され得るように、ポンプ２５の上流に配置されている。したがって、汚排水タンク１９を供給ポンプ２５の吸い込み側に接続することにより、廃液低減輸送システム２０は、唯一パイプを必要とし得る。次いで、供給ポンプ２５は、汚排水タンク１９から分離機１へ直接ポンプ送りするように利用され、より早期にうまく行かずに処理されたスクラバ水を取り去ることができる。第１の輸送システム１６は、分離機１中で処理されるスクラバ水へのｐＨ調整剤を測定すると共にそれを加えることができる化学薬品添加ユニット３１をさらに備える。一例として、汚排水タンク１９中のスクラバ水のｐＨは、貯蔵中に低下する可能性があり、これは、化学薬品添加ユニット３１がＮａＯＨを取り去られるスクラバ水に加え得ることを意味する。代替として、化学薬品添加ユニット３１は、プロセスタンクから取り去られるスクラバ水へより高いｐＨの水を加えるように構成され得る。システム１５の場合、大変汚いスクラバ水は、船外排出基準が満たされるまで数回取り去られ得、水が船外に放出され得、それからさもなければ陸上に廃棄されるために送られる廃液の量を減少させる。
【００７１】
図４は、スクラバ流体ループ３０に接続された汚れたスクラバ液を浄化するためのシステム１５のさらなる実施形態を示す。システム１５とスクラバ流体ループ３０とは、廃液低減輸送システム２０がそれ自体の供給ポンプ３５を備えることを除いて、上記の図３に関連して説明されたシステムと同じに機能する。したがって、廃液低減輸送システム２０は、第１の輸送システム１６の供給ポンプ２５の下流で第１の輸送システム１６に接続され、制御ユニット２１は、図４の矢印Ａにより示されるように、廃液低減輸送システム２０中の供給ポンプ３５を制御することにより汚排水タンク１９からのスクラバ水の輸送を調整する。さらに、排出タンク２３は、液体輸送システム３８により汚排水タンク１９に接続されている。これは、廃棄のために総廃液をもっとさらに最小にするように、すなわち、底の相を発って、汚排水タンクに排出タンク２３が排水され得ることを意味する。
【００７２】
図５は、スクラバ流体ループ３０に接続された汚れたスクラバ液を浄化するためのシステム１５のさらなる実施形態を示す。システム１５とスクラバ流体ループ３０とは、システム１５が共通の廃液タンクを備える、すなわち、汚染物質相が別個の排出タンクの代わりに分離機１から汚排水タンク１９へ排出されることを除いて、上記の図３に関連して説明されたシステムと同じに機能する。そのような組み合わされた廃液タンクが利用されるとき、好ましくは、タンク１９から廃液低減輸送システム２０への吸い込みは、タンク１９の底から上へ安全な距離に位置し、それによりタンク１９内で処理されるときにケークを形成し得る固体の最大密度を省く。一例として、タンク１９からの吸い込みは、利用されるタンクの高さの２０％より上にあるタンク１９の底からの位置にあり得る。
【図１】
2017006883.tif 000003
【図２】
2017006883.tif 000004
【図３】
2017006883.tif 000005
【図４】
2017006883.tif 000006
【図５】
2017006883.tif 000007
【手続補正書】
【提出日】平成27年10月26日(2015.10.26)
【手続補正１】
【補正対象書類名】特許請求の範囲
【補正対象項目名】請求項１２
【補正方法】変更
【補正の内容】
【請求項１２】
前記ディスクスタック遠心分離機の前記第２の分離機出口は、前記分離空間の周囲に配置されており、前記方法は、前記第２の出口を通じて排出された前記汚染物質相を排出タンクへ輸送することをさらに備える、請求項１０または１１に記載の方法。
【外国語明細書】
2017006883000001.pdf